(57)【特許請求の範囲】
【請求項１】
複数の取付穴が設けられ、絶縁材料により形成された固定接触子支持部材と、一面が接触面、他面が着座面となる接触部と上記着座面に直立したスタッド部が一体に形成され、上記着座面に少なくとも１個の突起を有し、上記固定接触子支持部材の上記取付穴に装着された複数の固定接触子と、二つの上記固定接触子の上記接触面に接触して橋絡する可動接触子と、上記可動接触子を移動させて所定のタップを選択するタップ選択機構と、少なくとも二つの隣接する上記固定接触子の上記スタッド部が挿入される挿入穴と上記固定接触子の上記突起が係合する突起係合穴を有し、少なくとも二つの隣接する上記固定接触子の上記着座面と上記固定接触子支持部材との間に間挿して固定される着座片とを備えた負荷時タップ切換器。
【請求項２】
上記固定接触子の上記着座面には上記スタッドの中心に対して対称位置に２個の上記突起を設けることを特徴とする請求項１記載の負荷時タップ切換器。
【請求項３】
上記固定接触子の上記着座面に設けられた上記突起の高さは、上記着座面と上記固定接触子支持部材の間に間挿する上記着座片の厚さよりも低いことを特徴とする請求項１または請求項２記載の負荷時タップ切換器。
【請求項４】
上記固定接触子の上記固定接触子支持部材への装着は、上記固定接触子の上記スタッド部の端部にねじ加工を施し、皿ばねを介してナットにて固定されていることを特徴とする請求項１〜請求項３のいずれかに記載の負荷時タップ切換器。
【請求項５】
上記固定接触子の上記固定接触子支持部材への装着は、上記固定接触子の上記スタッド部端部に止め輪用溝加工を施し、皿ばねを介して軸用止め輪にて固定されていることを特徴とする請求項１〜請求項３のいずれかに記載の負荷時タップ切換器。
【発明の詳細な説明】
【０００１】
【発明の属する技術分野】
この発明は、変圧器に取り付けられ、変圧器の運転状態でタップ切り換えを行う負荷時タップ切換器に関するものである。
【０００２】
【従来の技術】
変圧器に付属して運転状態でタップ切り換えを行う負荷時タップ切換器の内部は、一般的には図４、図５のように構成されている。図４は負荷時タップ切換器の固定接触子が取り付けられた絶縁筒で形成された固定子支持部材の部分の斜視図、図５は固定接触子の取付部分の部分断面図である。図において、１１は固定接触子支持部材であり、絶縁筒で形成され所定の位置に固定接触子が取り付けられる複数の取付穴１１ａが設けられている。１２は固定接触子であり、一面が接触面１２ｃであり、接触面１２ｃの他面が着座面１２ｄとなる接触部１２ａと、接触部１２ａの着座面１２ｄに直立したスタッド部１２ｂが一体に形成され、スタッド部１２ｂの端部にはねじ１２ｆが加工されている。１３は座金、１４はナットである。固定接触子１２は固定接触子支持部材１１の内側からそれぞれの取付穴１１ａに挿入され、座金１３を介してナット１４で固定されている。固定接触子１２のスタッド部１２ｂの端部は接続リードにより変圧器のタップまたは他の端子に接続されている。
【０００３】
２０は固定接触子支持部材１１の内径側に配置されたタップ選択機構であり、固定接触子支持部材１１の中心に配置された駆動軸２１の直角方向にタップ選択可動枝２２が設けられ、タップ選択可動枝２２の先端に円筒形の可動接触子２３が回転自在に取り付けられ、駆動軸２１が回転することにより可動接触子２３が固定接触子１２の接触面１２ｃに対して平行移動し、選択されるタップに接続された接触子１２に接触してタップ選択される。
【０００４】
固定接触子１２の接触面１２ｃは、可動接触子２３の回転半径に合わせた曲率半径に形成され、着座面１２ｄは固定接触子支持部材１１の内面の半径に合わせた曲率半径に形成されており、図５のように固定接触子１２は、固定子支持部材１１に内径側からスタッド部１２ｂを外周側に向けて挿通し、座金１３を介してナット１４で固定されている。固定接触子１２、可動接触子２３を流れる電流は図中矢印の方向に流れる。
【０００５】
従来の負荷時タップ切換器の内部の他の構成として、図６に示すような構成のものもある。図６において、駆動軸２１の直角方向にタップ選択可動枝２２が設けられ、タップ選択可動枝２２の先端に可動接触子２３が取り付けられタップ選択機構２０は図４と同一の構成である。１６は絶縁材料を柱状に形成し、固定接触子の取付穴を加工した固定接触子支持部材、１７は固定接触子であり、固定接触子支持部材１６の取付穴に図５に示すものと同じ状態に装着されている。
【０００６】
図６の構成は固定接触子１７が配列毎に絶縁材料で柱状に形成した固定接触子支持部材１６に装着され円形に間隔を設けて配置したことにより、固定接触子１７の配列毎に分離され沿面放電が生じない構成となっており、各固定接触子１７に接続された変圧器コイルのタップ間電圧に対して絶縁耐力を高く確保できる利点がある。
【０００７】
また、固定接触子を直線状に配置し、可動接触子を固定接触子の接触面に沿って平行移動して選択されるタップに接続された固定接触子に接触してタップ選択される図７に示すような構成もある。図７において、１８は板状の絶縁材料に固定接触子の取付穴を加工した固定接触子支持部材、１９は固定接触子であり、固定接触子支持部材１８の取付穴に図５に示すものと同じ状態に装着されている。２５はタップ選択機構であり、タップ選択枝２６の先端部に可動接触子２７が回転自在に取り付けられ、固定接触子１９の接触面に対して軸方向に平行移動する構成である。
【０００８】
【発明が解決しようとする課題】
従来の負荷時タップ切換器の内部は上記のように構成され、固定接触子１２は固定接触子支持部材１１の所定の位置にスタッド部１２ｂを挿入して座金１３を介してナット１４を締め付けることにより固定される構成であるが、一般的に負荷時タップ切換器は変圧器に直接取り付けられているので、変圧器の運転中の励磁振動、負荷時タップ切換器自身の切り換え時の振動が影響して固定接触子１２のスタッド部１２ｂの部分に弛みが生じる可能性がある。また、固定接触子支持部材１１は絶縁材料で形成されているので長期間使用すると締め付け部にクリープ（長期間圧縮応力が加わっていると永久変形が生じること）が生じ、これが原因でスタッド部１２ｂの部分に弛みが生じることもある。
【０００９】
振動、あるいはクリープによるスタッド部１２ｂの部分に弛みが発生すると、固定されている固定接触子１２の接触面１２ｃが回転すると、可動接触子２３が移動する方向と固定接触子１２の接触面１２ｃとの平行性がなくなって可動接触子２３が接触しにくくなり、可動接触子２３との接触部に接触不良が発生したり、可動接触子２３の投入または開極時の動作が固渋したりして負荷時タップ切換器の局部加熱、切り換え動作不良が発生する問題点があった。
【００１０】
この発明は、上記問題点を解消するためになされたものであり、固定接触子の固定接触子支持部材への取付部に弛みが生じても固定接触子が回転方向にずれることがない負荷時タップ切換器を提供することを目的とする。
【００１１】
【課題を解決するための手段】
この発明に係る負荷時タップ切換器は、絶縁材料で形成された固定接触子支持部材と、一面が接触面、他面が着座面となる接触部と着座面に直立したスタッド部が一体に形成され、着座面に少なくとも１個の突起を有し、固定接触子支持部材の取付穴に装着された複数の固定接触子と、二つの上記固定接触子の上記接触面に接触して橋絡する可動接触子と、可動接触子を移動させて所定のタップを選択するタップ選択機構と、少なくとも二つの隣接する固定接触子のスタッド部が挿入される挿入穴と固定接触子の突起が係合する突起係合穴を有し、少なくとも二つの隣接する固定接触子の着座面と固定接触子支持部材との間に間挿して固定される着座片とを備えたものである。
【００１２】
【発明の実施の形態】
実施の形態１．
図１、図２に実施の形態１の負荷時タップ切換器の固定接触子支持部材に装着された固定接触子の部分の構成を示す。図１の（ａ）は固定接触子を固定接触子支持部材の中心より見た正面図、図１（ｂ）は固定接触子の部分の側断面図、図１（ｃ）は図１（ａ）のＡ−Ａ矢視図である。図２は固定接触子、着座片の斜視図である。図において、固定接触子支持部材１１、可動接触子２３は従来の構成と同一である。３２は固定接触子であり、接触部３２ａとスタッド部３２ｂが一体に形成され、接触部３２ａの一面が接触面３２ｃであり、スタッド部３２ｂが直立する他面側が着座面３２ｄであり、着座面３２ｄにはスタッド３２ｂの中心に対して対称位置に２個の突起３２ｅが設けられている。スタッド部３２ｂの端部はねじ３２ｆが加工されており、接触面３２ｃは可動接触子２３の回転半径に合わせた曲率半径に、着座面３２ｄは固定接触子支持部材１１の内側半径に合わせた曲率半径にそれぞれ形成されている。３３は皿ばねであり、均一に圧力を与え、固定接触子支持部材１１に多少のクリープが生じても押圧力を確保するために使用される。３４はナットである。３５は着座片であり、絶縁材料で構成され、複数の固定接触子３２のスタッド部３２ｂが挿入される複数の挿入穴３５ａおよび固定接触子３２の接触部３２ａの着座面３２ｄの突起３２ｅが係合する突起係合穴３５ｂが設けられ、厚さは突起３２ｅの高さよりも厚く形成されている。
【００１３】
図１、図２の固定接触子３２は、着座片３５の挿通穴３５ａに固定接触子３２のスタッド部３２ｂを挿入し、従来の技術欄に示した図４と同様に固定接触子支持部材１１の取付穴１１ａに挿入し皿ばね３３を挿入し、ナット３４を締結して装着する。装着状態では、接触部３２の突起３２ｅが着座片３５の突起係合穴３５ｂに係合し、固定接触子３２の弛みが生じても回転が防止される。
【００１４】
このようにして固定接触子３２を固定接触子支持部材１１に装着すると、長期の使用中に固定接触子支持部材１１の固定接触子３２の装着部分に弛みが生じても回転することがなく、固定接触子３２の接触部３２ｃと可動接触子２３の正常な接触状態が確保される。
【００１５】
図１、図２において固定接触子３２の着座面３２ｄの突起３２ｅは、２箇所の場合について示したが、突起３２ｅの数は少なくとも１つあれば回転止めの機能は満たされ、突起３２ｅの位置が外周になるほど回転する抵抗力が大きくなることを考慮し、突起３２ｅの個数、配置位置を選定することで所望の回転抵抗力が得られる。また、着座片３５は二つの固定接触子３２に跨る場合について説明したが、それ以上の複数の固定接触子３２に跨るように構成しても同様の効果を奏する。
【００１６】
実施の形態２．
図３に実施の形態２の負荷時タップ切換器の固定接触子支持部材に装着された固定接触子の部分の構成を示す。実施の形態２は、固定接触子を固定接触子支持部材へ止め輪にて固定した構成である。図において、固定接触子支持部材１１、着座片３５、皿ばね３３は実施の形態１と同一である。４２は固定接触子であり、接触部４２ａとスタッド部４２ｂが一体で構成され、接触部４２ａの一面が接触面４２ｃであり、スタッド部４２ｂが直立した他面が着座面４２ｄであり、着座面４２ｄのスタッド部４２ｂの外周部の少なくとも一箇所に突起４２ｅが設けられ、スタッド４２ｂの端部には止め輪用溝４２ｆが加工されている。４４は軸用止め輪である。
【００１７】
この構成の固定接触子４２は、実施の形態１と同様に着座片３５の挿通穴３５ａに固定接触子４２のスタッド部４２ｂを挿通し、従来の技術欄に示した図４と同様に固定接触子支持部材１１の取付穴１１ａに挿通し皿ばね３３を介して軸用止め輪４４で固定することにより装着する。装着状態では、実施の形態１と同様に、接触部４２ａの突起４２ｅが着座片３５の突起係合穴３５ｂに係合し、固定接触子４２の装着部に弛みが生じても回転が防止される。
【００１８】
この構成においても、実施の形態１と同様に、長期の使用中に固定接触子支持部材１１の固定接触子４２の取付部分に弛みが生じても回転することがなく、固定接触子４２の接触部４２ｃと可動接触子２３の正常な接触状態が確保される。また、固定手段に軸用止め輪４４を使用したことにより、固定接触子４２の固定部が実施の形態１の場合よりも小さくコンパクトに構成することができる。
【００１９】
【発明の効果】
この発明に係る負荷時タップ切換器は、絶縁材料で形成された固定接触子支持部材と、一面が接触面、他面が着座面となる接触部と着座面に直立したスタッド部が一体に形成され、着座面に少なくとも１個の突起を有し、固定接触子支持部材の取付穴に装着された複数の固定接触子と、二つの上記固定接触子の上記接触面に接触して橋絡する可動接触子と、可動接触子を移動させて所定のタップを選択するタップ選択機構と、少なくとも二つの隣接する固定接触子のスタッド部が挿入される挿入穴と固定接触子の突起が係合する突起係合穴を有し、少なくとも二つの隣接する固定接触子の着座面と固定接触子支持部材との間に間挿して固定される着座片とを備えたので、長期の使用中に絶縁筒の固定接触子の取付部分に弛みが生じても回転することがなく、固定接触子の接触部と可動接触子の正常な接触状態が確保される。
【図面の簡単な説明】
【図１】  実施の形態１の固定接触子の取付部分の部分断面図である。
【図２】  図１の固定接触子と着座片の斜視図である。
【図３】  実施の形態２の固定接触子の取付部分の部分断面図である。
【図４】  従来の負荷時タップ切換器の固定接触子が取り付けられた固定接触子支持部材の部分の斜視図である。
【図５】  従来の構成の固定接触子の取付部分の部分断面図である。
【図６】  従来の構成の固定接触子を柱状の固定接触子支持部材に取り付けた構成の部分断面図である。
【図７】  従来の構成の固定接触子を固定接触子支持部材に直線状に配列した構成の部分断面図である。
【符号の説明】
１１  固定接触子支持部材、２３  可動接触子、３２  固定接触子、３３  皿ばね、
３４  ナット、３５  着座片、４２  固定接触子、４４  軸用止め輪。
【図１】
0003819646.tif 000002
【図２】
0003819646.tif 000003
【図３】
0003819646.tif 000004
【図４】
0003819646.tif 000005
【図５】
0003819646.tif 000006
【図６】
0003819646.tif 000007
【図７】
0003819646.tif 000008